(57)【要約】【課題】視聴者が使用する端末装置に放送に関連した情報を表示する情報提供システムを提供する。【解決手段】放送局から放送されるコンテンツである主コンテンツの内容を解析し、解析結果を出力するコンテンツ解析部と、解析結果に基づき主コンテンツに対応する情報コンテンツを選択し、その情報ＩＤを出力する情報選択部と、情報ＩＤを主コンテンツに付加するＩＤ付加部と、情報ＩＤが付加された主コンテンツを送信する送信部とを備えた放送システムと、副コンテンツのＵＲＬ情報ＩＤと対応づけて記憶し、情報ＩＤを受信したとき受信した情報ＩＤに対応する副コンテンツのアドレス情報を前記端末装置に返信するＩＤ解決サーバを備える。【選択図】図１
2013183327.tif 000002
【特許請求の範囲】
【請求項１】
順次入力されるオーディオデータを含む主コンテンツを解析し、前記解析結果として前記主コンテンツの内容を示すキーワードを逐次出力するコンテンツ解析手段と、
前記コンテンツ解析手段がキーワードを出力する毎に、当該キーワードに対応する副コンテンツを選択するとともに、該選択した副コンテンツを示す情報ＩＤを出力する情報選択手段と、
前記情報選択手段が情報ＩＤを出力する毎に、該情報ＩＤを音響信号に変換し、当該音響信号を前記主コンテンツのオーディオデータに重畳するＩＤ付加手段と、
前記音響信号が付加された主コンテンツを放送または配信する配信手段と、
クライアントから、前記配信した主コンテンツのオーディオデータに重畳された音響信号に対応する情報ＩＤを受信する情報ＩＤ受信手段と、
前記情報ＩＤ受信手段が受け取った情報ＩＤの示す副コンテンツに対応するＵＲＬを前記クライアントに送信することにより情報ＩＤを解決するＩＤ解決手段と、
前記ＩＤ解決手段が前記情報ＩＤを解決したことに応じて、当該情報ＩＤの示す副コンテンツの所有者に対して課金を行う課金手段と、
を備えたコンテンツ提供システム。
【請求項２】
前記クライアントは、
前記配信された主コンテンツに含まれるオーディオデータに基づく音声信号を収音する収音手段と、
前記収音した音声信号から前記情報ＩＤを抽出する情報ＩＤ抽出手段と、
前記抽出した情報ＩＤを前記ＩＤ解決手段に送信し、その応答として受信したＵＲＬにアクセスすることにより前記副コンテンツを取得する副コンテンツ取得手段と、
を備える請求項１に記載のコンテンツ提供システム。
【請求項３】
順次入力されるオーディオデータを含む主コンテンツを解析し、前記解析結果として前記主コンテンツの内容を示すキーワードを逐次出力するコンテンツ解析手順と、
前記コンテンツ解析手順にてキーワードを出力される毎に、当該キーワードに対応する副コンテンツを選択するとともに、該選択した副コンテンツを示す情報ＩＤを出力する情報選択手順と、
前記情報選択手順にて情報ＩＤを出力される毎に、該情報ＩＤを音響信号に変換し、当該音響信号を前記主コンテンツのオーディオデータに重畳するＩＤ付加手順と、
前記音響信号が付加された主コンテンツを放送または配信する配信手順と、
クライアントから、前記配信した主コンテンツのオーディオデータに重畳された音響信号に対応する情報ＩＤを受信する情報ＩＤ受信手順と、
前記情報ＩＤ受信手順にて受け取った情報ＩＤの示す副コンテンツに対応するＵＲＬを前記クライアントに送信することにより情報ＩＤを解決するＩＤ解決手順と、
前記ＩＤ解決手順にて前記情報ＩＤを解決されたことに応じて、当該情報ＩＤの示す副コンテンツの所有者に対して課金を行う課金手順と、
を備えたコンテンツ提供方法。
【請求項４】
順次入力されるオーディオデータを含む主コンテンツを解析し、前記解析結果として前記主コンテンツの内容を示すキーワードを逐次出力するコンテンツ解析手段と、
前記コンテンツ解析手段がキーワードを出力する毎に、当該キーワードに対応する副コンテンツを選択するとともに、該選択した副コンテンツを示す情報ＩＤを出力する情報選択手段と、
前記情報選択手段が情報ＩＤを出力する毎に、該情報ＩＤを音響信号に変換し、当該音響信号を前記主コンテンツのオーディオデータに重畳するＩＤ付加手段と、
を備えたコンテンツ編集装置。
【請求項５】
前記キーワードと前記副コンテンツまたは前記情報ＩＤとの対応関係を規定したエントリーテーブル
を備え、
前記情報選択手段は、前記エントリーテーブルを参照して、前記コンテンツ解析手段が出力したキーワードに対応する副コンテンツを抽出する
請求項４に記載のコンテンツ編集装置。
【請求項６】
前記エントリーテーブルは、さらに前記副コンテンツに関連する付帯情報を記憶し、
前記情報選択手段は、前記コンテンツ解析手段が出力したキーワードに対応する副コンテンツが複数あった場合、各副コンテンツの付帯情報に基づいて１の副コンテンツを選択する
請求項５に記載のコンテンツ編集装置。
【発明の詳細な説明】
【技術分野】
【０００１】
この発明は、主コンテンツであるテレビ等の番組が放送されているときに、その番組の内容に関連した広告などの情報である副コンテンツを提供するコンテンツ提供システム、および、この情報提供システムに適用可能なコンテンツ提供方法およびコンテンツ編集装置に関する。
【背景技術】
【０００２】
テレビ放送において、広告（テレビＣＭ）を放送できる時間は、基準が定められている（例えば、日本民間放送連盟放送基準第１８章広告の時間基準、など）。この基準によれば、３０分の時間枠でタイムＣＭ、スポットＣＭ合わせて、放送できる時間は約７分で、これ以上増やすことができない。また、テレビＣＭ、特に番組外で放送されるスポットＣＭは、テレビ番組本体の内容と直接関係がないため、視聴者の興味をひけない場合が多かった。
【０００３】
一方、テレビＣＭでは、より詳細な商品情報を視聴者に伝えるため、視聴者をインターネットのウェブ広告へ誘導することが行われている。視聴者をウェブ広告へ誘導する従来の手法としては、短縮ＵＲＬの表示、ＵＲＬを自動返信するメールアドレスの表示、ＱＲコード（登録商標）の表示、検索ワードの表示と言った手法が用いられ、特に現在では検索ワードを表示させる手法が一般的となっている。
テレビ受像機を経由して情報を取得する手法として、例えばテレビのリモコン操作によってその番組に関連する各種の情報をテレビ画面に表示させるものが特許文献１などに開示されている。
【先行技術文献】
【特許文献】
【０００４】
【特許文献１】特開２００８−２８８６３８号公報
【発明の概要】
【発明が解決しようとする課題】
【０００５】
テレビ放送による広告の態様を現在よりも多様にするため、また、テレビ放送された番組の内容に関連した広告を提供するため、ウェブ広告を放送された番組にリアルタイムにリンクさせ、番組の放送中にスマートフォンなどの端末装置にウェブ広告を並行して表示させることが考えられる。しかし、視聴者をウェブ広告に導く上記従来の手法は、どの手法を利用してもユーザに強いる操作の手間が大きく、これらの手法では、テレビ番組の視聴者をそのテレビ番組にリンクしたウェブ広告へ自然に誘導することはできなかった。
なお、従来技術には、テレビ受像機を経由して情報を取得する手法として、テレビのリモコン操作によってその番組に関連する各種の情報をテレビ画面に表示させるものが特許文献１などに開示されている。
【０００６】
この発明は、テレビ放送の視聴者等であるユーザが使用する端末装置に放送の内容に関連した情報を表示させるためのコンテンツ提供システム、コンテンツ提供方法、および、コンテンツ編集装置を提供することを目的とする。
【課題を解決するための手段】
【０００７】
本発明のコンテンツ提供システムは、順次入力されるオーディオデータを含む主コンテンツを解析し、前記解析結果として前記主コンテンツの内容を示すキーワードを逐次出力するコンテンツ解析手段と、前記コンテンツ解析手段がキーワードを出力する毎に、当該キーワードに対応する副コンテンツを選択するとともに、該選択した副コンテンツを示す情報ＩＤを出力する情報選択手段と、前記情報選択手段が情報ＩＤを出力する毎に、該情報ＩＤを音響信号に変換し、当該音響信号を前記主コンテンツのオーディオデータに重畳するＩＤ付加手段と、前記音響信号が付加された主コンテンツを放送または配信する配信手段と、クライアントから、前記配信した主コンテンツのオーディオデータに重畳された音響信号に対応する情報ＩＤを受信する情報ＩＤ受信手段と、前記情報ＩＤ受信手段が受け取った情報ＩＤの示す副コンテンツに対応するＵＲＬを前記クライアントに送信することにより情報ＩＤを解決するＩＤ解決手段と、前記ＩＤ解決手段が前記情報ＩＤを解決したことに応じて、当該情報ＩＤの示す副コンテンツの所有者に対して課金を行う課金手段とを備えたことを特徴とする。
【０００８】
上記発明において、前記クライアントは、前記配信された主コンテンツに含まれるオーディオデータに基づく音声信号を収音する収音手段と、前記収音した音声信号から前記情報ＩＤを抽出する情報ＩＤ抽出手段と、前記抽出した情報ＩＤを前記ＩＤ解決手段に送信し、その応答として受信したＵＲＬにアクセスすることにより前記副コンテンツを取得する副コンテンツ取得手段と、を備えていればよい。
【０００９】
本発明のコンテンツ提供方法は、順次入力されるオーディオデータを含む主コンテンツを解析し、前記解析結果として前記主コンテンツの内容を示すキーワードを逐次出力するコンテンツ解析手順と、前記コンテンツ解析手順にてキーワードを出力される毎に、当該キーワードに対応する副コンテンツを選択するとともに、該選択した副コンテンツを示す情報ＩＤを出力する情報選択手順と、前記情報選択手順にて情報ＩＤを出力される毎に、該情報ＩＤを音響信号に変換し、当該音響信号を前記主コンテンツのオーディオデータに重畳するＩＤ付加手順と、前記音響信号が付加された主コンテンツを放送または配信する配信手順と、クライアントから、前記配信した主コンテンツのオーディオデータに重畳された音響信号に対応する情報ＩＤを受信する情報ＩＤ受信手順と、前記情報ＩＤ受信手順にて受け取った情報ＩＤの示す副コンテンツに対応するＵＲＬを前記クライアントに送信することにより情報ＩＤを解決するＩＤ解決手順と、前記ＩＤ解決手順にて前記情報ＩＤを解決されたことに応じて、当該情報ＩＤの示す副コンテンツの所有者に対して課金を行う課金手順とを備えたことを特徴とする。
【００１０】
本発明のコンテンツ編集装置は、順次入力されるオーディオデータを含む主コンテンツを解析し、前記解析結果として前記主コンテンツの内容を示すキーワードを逐次出力するコンテンツ解析手段と、前記コンテンツ解析手段がキーワードを出力する毎に、当該キーワードに対応する副コンテンツを選択するとともに、該選択した副コンテンツを示す情報ＩＤを出力する情報選択手段と、前記情報選択手段が情報ＩＤを出力する毎に、該情報ＩＤを音響信号に変換し、当該音響信号を前記主コンテンツのオーディオデータに重畳するＩＤ付加手段と、を備えたことを特徴とする。
【００１１】
上記発明において、前記キーワードと前記副コンテンツまたは前記情報ＩＤとの対応関係を規定したエントリーテーブルをさらに備え、前記情報選択手段は、前記エントリーテーブルを参照して、前記コンテンツ解析手段が出力したキーワードに対応する副コンテンツを抽出するものであってもよい。
【００１２】
上記発明において、前記エントリーテーブルは、さらに前記副コンテンツに関連する付帯情報を記憶し、前記情報選択手段は、前記コンテンツ解析手段が出力したキーワードに対応する副コンテンツが複数あった場合、各副コンテンツの付帯情報に基づいて１の副コンテンツを選択するものであってもよい。
【発明の効果】
【００１３】
この発明によれば、ユーザを、主コンテンツである放送コンテンツ等の内容や場面等に応じて、広告等の副コンテンツへ自然に誘導することが可能になる。
【図面の簡単な説明】
【００１４】
【図１】この発明の実施形態であるコンテン提供ツシステムのブロック図
【図２】音響ＩＤが重畳される周波数帯域を説明する図
【図３】エントリーデータベースの構成を示す図
【図４】音響ＩＤ変換部の構成を示す図
【図５】端末装置のブロック図
【図６】端末装置の音響ＩＤ復調部の構成を示す図
【図７】コンテンツ管理サーバの動作を示すフローチャート
【図８】選択部、端末装置およびＩＤ解決サーバの動作を示すフローチャート
【発明を実施するための形態】
【００１５】
《コンテンツ提供システムの概要》
図１は、この発明の実施形態であるコンテンツ提供システムの構成を説明する図である。このコンテンツ提供システムは、主コンテンツ（テレビ番組）１０１の各場面の内容に関連した副コンテンツ（ウェブ広告）１２１を、視聴者２０が所持する端末装置２２に表示させるプッシュ型のコンテンツ提供システムである。本実施形態においては、たとえば、テレビ番組がビールなどの飲物を飲む場面を表示していたとき、これに呼応するようにビール会社やビヤレストランなどのウェブ広告を端末装置２２に表示させる。このテレビ番組に連動したプッシュ型の態様にてウェブ広告を提供するコンテンツ提供サービスを以下「リンク広告提供サービス」と呼ぶ。主コンテンツ１０１であるテレビ番組は、放送局１から放送され、テレビ受像機２１が、このテレビ番組を受信して、視聴者２０に向けて再生する。また、本実施形態において、テレビ番組とは、放送局１から放送されるコンテンツ全般を指し、所謂テレビ番組本体のみならずテレビコマーシャル（テレビＣＭ）等を含むものとする。また、端末装置２２は、視聴者２０が所持し、視聴者２０がテレビ番組を視聴するとき、この端末装置２２もテレビ受像機２１の近傍（テレビ受像機２１から放音される音声を収音できる程度の距離）に置かれるものとする。
【００１６】
図１において、放送局１は、送信機器１０を有しており、送信機器１０は、主コンテンツ１０１を変調してＵＨＦ帯の地上波デジタルチャンネルの周波数帯で送信（放送）する。また、放送局１は、リンク情報選択重畳部１１を有する。リンク情報選択重畳部１１は、主コンテンツ１０１を構成する各種データ信号（音声信号や画像信号等の各種信号）の内容を解析し、その内容に対応してウェブ上で提供される副コンテンツ（ウェブ広告）１２１を指定する識別情報である情報ＩＤ１０３を、主コンテンツ１０１の信号に重畳する。なお、リンク情報選択重畳部１１が本発明のコンテンツ編集装置に対応する。
【００１７】
情報ＩＤ１０３の主コンテンツ１０１への重畳は、種々の方式を適用することができるが、本実施形態では、本出願人による国際特許出願（国際公開第２０１０／０１６５８９号パンフレット）に開示されている方式を適用する。この方式は、情報ＩＤ１０３をスペクトラム拡散および周波数シフトにより特定の周波数帯域の音響信号である音響ＩＤ１０４に変換し、変換した音響ＩＤ１０４を主コンテンツ１０１の音声信号に重畳する方式である。
【００１８】
図２に主コンテンツ１０１に含まれる音声信号の周波数帯と音響ＩＤ１０４の周波数帯との関係を示す。図２に示すように、本実施形態での主コンテンツであるテレビ番組で使用される音声信号の上限周波数は１６ｋＨｚ程度である。一方、送信機器１０およびテレビ受像機２１が送受信および再生可能な音声信号の上限周波数は２０ｋＨｚ程度である。音響ＩＤ１０４は１８〜２０ｋＨｚの周波数帯域の音声信号であるから、音響ＩＤ１０４は、主コンテンツ１０１（テレビ番組）に含まれる通常の音声信号の周波数帯域以上であり、送信機器１０およびテレビ受像機２１が送受信および再生可能な周波数帯域に重畳されることになる。テレビ受像機２１のスピーカから主コンテンツ１０１の音声信号および音響ＩＤ１０４を含む音が放音されたとき、音響ＩＤ１０４は、主コンテンツ１０１の音声信号と容易に分離可能である。本方式の詳細については後述する。
【００１９】
視聴者２０が所持する端末装置２２は、テレビ受像機２１のスピーカから放音された主コンテンツ１０１の音声信号および音響ＩＤ１０４を含む音を収音する。端末装置２２は、この収音した音に含まれる音響ＩＤ１０４を情報ＩＤ１０３に復調する。端末装置２２は、管理センター４のＩＤ解決サーバ４１にアクセスして、復調して得られた情報ＩＤ１０３に対応する副コンテンツ１２１のＵＲＬ１４１を取得する。これにより、端末装置２２は、短い符号（たとえば４桁の数字）からなる情報ＩＤ１０３を、テレビ受像機２１から音響ＩＤ１０４として取得し、取得した情報ＩＤ１０３に基づいて長い符号（英数字等の所定の文字列）からなるＵＲＬ１４１を取得することが可能になる。端末装置２２は、取得したＵＲＬ１４１に基づき、副コンテンツ提供サーバ３１にアクセスして、副コンテンツ１２１を取得し、これを端末装置２２が備えるディスプレイ等に表示する。
【００２０】
ＩＤ解決サーバ４１には、情報ＩＤ１０３が副コンテンツ１２１のＵＲＬ１４１に対応づけて記憶されている。ＩＤ解決サーバ４１は、端末装置２２からのアクセスに応じて、要求された情報ＩＤ１０３に対応するＵＲＬ１４１を提供する。ＩＤ解決サーバ４１が、携帯端末装置２２から受信した情報ＩＤ１０３を、当該情報ＩＤ１０３に対応するＵＲＬ１４１に変換し、変換したＵＲＬ１４１を携帯端末装置２２に返信する処理を「情報ＩＤの解決」と呼ぶ。
【００２１】
副コンテンツ提供サーバ３１は、ＵＲＬ１４１が示す副コンテンツ１２１を提供可能に記憶したウェブサーバであり、端末装置２２からのアクセスに応じて、要求されたＵＲＬ１４１の示す副コンテンツ１２１であるウェブ広告を提供する。
【００２２】
端末装置２２の上述の一連の処理（テレビ受像機２１のスピーカから放音された音の収音、音響ＩＤ１０４の復調、ＵＲＬ１４１の取得、副コンテンツ提供サーバ３１へのアクセス、副コンテンツ１２１の表示）は、端末装置２２において実行される副コンテンツ取得プログラムにより自動的に行われる。従って、端末装置２２を所持する視聴者２０に対しては、主コンテンツ（テレビ放送）１０１に連動した副コンテンツ１２１（ウェブ広告）がプッシュ型の態様で提供されることになる。
【００２３】
なお、副コンテンツ１２１であるウェブ広告の広告主３０は、作成した副コンテンツ１２１を副コンテンツ提供サーバ３１において配信が可能な状態に配置しているものとする。副コンテンツ提供サーバ３１は一般的なウェブサーバでよい。
【００２４】
以下、本コンテンツ提供システムについて詳細に説明する。
【００２５】
《リンク情報選択重畳部１１》
リンク情報選択重畳部１１は、コンテンツ解析部１２、情報選択部１３、エントリーデータベース１４、音響ＩＤ変換部１５および音声合成部１６を有している。
【００２６】
コンテンツ解析部１２は、入力された主コンテンツ１０１の内容を解析して、キーワード１０２を生成・出力する。主コンテンツ１０１の解析は、例えば、主コンテンツ１０１に対して画像解析や音声認識等をすることによって行われる。ここで、画像解析とは、画像から輪郭、色調などの特徴を抽出し、映っている物体が何であるかを認識する技術をいう。また、音声認識とは、音声信号の波形や周波数構造等の特徴に基づき、音声に含まれている情報を認識する技術をいう。これらの技術は、公知技術を適宜使用することが可能であり、詳細な説明は省略する。コンテンツ解析部１２は、入力された主コンテンツ１０１に対して行った画像解析および音声認識の結果に基づいて、主コンテンツ１０１の場面がどのような場面であるかを判定し、その場面の内容を表すテキスト情報であるキーワード１０２を生成・出力する。すなわち、キーワード１０２は、主コンテンツ１０１の内容を表す語、または、主コンテンツ１０１の各場面の特徴や属性を表す語である。このキーワード１０２は、情報選択部１３に入力される。
【００２７】
なお、コンテンツ解析部１２は、放送局１から放送される主コンテンツ１０１をリアルタイムに入力して、キーワード１０２の生成・出力を逐次行う。
【００２８】
キーワード１０２の生成タイミング、生成間隔は適宜定めることができる。たとえば、予め設定された所定の時間間隔毎（例えば５分毎）、あるいはコンテンツ解析部１２にて主コンテンツ１０１の場面が変更されたことを検出し、その検出したタイミング等でよい。
【００２９】
情報選択部１３は、コンテンツ解析部１２から入力されたキーワード１０２を用いてエントリーデータベース１４を検索し、エントリーデータベース１４にエントリーされている副コンテンツ１２１の中からこのキーワード１０２に適合する副コンテンツ１２１に対応する情報ＩＤ１０３を選択する。情報選択部１３は、選択した情報ＩＤ１０３を音響ＩＤ変換部１５に出力するとともに、この選択結果をエントリー選択情報１０５として管理センター４の管理サーバ４０に送信する。ここで、副コンテンツ１２１のエントリーとは、副コンテンツ１２１（またはこれに対応する情報ＩＤ１０３）が特定のキーワード１０２に関連付けられて、エントリーデータベース１４に事前に登録されていることをいう。副コンテンツ１２１のエントリーにあたり、エントリー情報１２２が広告主３０から管理センター４に送信される。エントリー情報１２２は、キーワード１０２、上限単価を少なくとも含んでいる。なお、エントリー情報１２２には、更に種々の情報を含ませてもよく、この実施形態では、予算、クライアント名、商品名またはサービス名、業種コード、および、品種コードまたはサービスコードを更に含んでいる。副コンテンツ１２１のエントリーについては後述する。
【００３０】
図３を参照して、エントリーデータベース１４の構成を説明する。情報エントリーデータベース１４は、エントリー情報１２２に含まれるキーワード１０２、上限単価、予算等の情報や、エントリー情報１２２に対応するＵＲＬ１４１、情報ＩＤ１０３などの情報を記憶する。本発明のエントリーデータベース１４として必須の情報はキーワード１０２と情報ＩＤ１０３との対応関係を規定する情報である。なお、この実施態様では、キーワード１０２、情報ＩＤ１０３および上限単価がエントリーデータベース１４に登録される必須の情報であり、他の情報（予算，クライアント名，商品名やサービス名，業種コードや品種コード、ＵＲＬ等）は後述する選択ルールに応じて適宜追加・省略が可能である。
【００３１】
エントリーデータベース１４は、複数の副コンテンツ１２１のエントリーをキーワード１０２毎にグループ化して管理している。各エントリーは、そのエントリー情報１２２に含まれるキーワード１０２のグループに所属する。ただし、エントリー情報１２２が複数のキーワード１０２を含む場合、そのエントリー情報１２２は、その複数のキーワード１０２のそれぞれのグループに所属する。
【００３２】
上限単価（円／アクセス）は、副コンテンツ１２１が、視聴者２０（あるいは端末装置２２）によって閲覧（アクセス）された回数に応じて、管理センター４から広告主３０へ請求される１アクセス当たりの課金単価の上限である。キーワード１０２がコンテンツ解析部１２から情報選択部１３に入力されたとき、情報選択部１３は、当該キーワード１０２に対してグループ化されている各副コンテンツ１２１のエントリー情報１２２に含まれている上限単価を取得し、この上限単価に基づく自動入札処理を行う。ここで、自動入札処理とは、各エントリーに対してＡＩ（人工知能）を設け、このＡＩによる入札によって落札者を決定する処理である。ＡＩは、自己が担当するエントリー情報１２２に含まれる上限単価、予算などの情報に基づいてキーワード１０２に対する適価を算出して、入札する。
【００３３】
情報選択部１３は、自動入札処理の結果に基づいて、キーワード１０２に対してグループ化された副コンテンツ１２１のうちから１の副コンテンツ１２１を選択する。同じキーワードに複数のエントリーがある場合、基本的には上限単価が最も高い副コンテンツ１２１が選択されるが、情報選択部１３は、所定の選択ルールに基づき、特定の副コンテンツ１２１をエントリーから除外したり、入札価格の比較の重み付けを変更したりすることによって副コンテンツ１２１の選択を調整および適正化している。
【００３４】
情報選択部１３は、副コンテンツ１２１の選択を調整および適正化するにあたり、エントリー情報１２２に含まれる、クライアント名、商品名またはサービス名、業種コード、および、品種コードまたはサービスコード等の各種情報を利用する。なお、業種コードは日本標準産業分類のコードを用いることができる。また、品種コードは、たとえばＪＩＳ（日本工業規格）やＪＡＳ（日本農林規格）の分類コードを用いることができる。
【００３５】
上記選択ルールとしては、例えば以下のようなものが使用される。
「テレビ番組のスポンサー企業と競合するクライアントは選択しない。」
「テレビ番組で放送される広告と同じ業種または同じ品種の商品の広告は選択しない。」
「規模の大きいクライアント、企業イメージの高いクライアントのウェブ広告を優先的に選択する。」
「内容が充実した副コンテンツ１２１を優先的に選択する。」
「広告が禁止される番組（たとえばニュース番組）や場面では広告を選択しない。」
【００３６】
なお、選択ルールは、上記のものに限定されない。また、番組のスポンサー企業や広告禁止情報等は主コンテンツ１０１にメタデータとして含まれていてもよく、ＥＰＧなどの放送プログラム情報によって提供されてもよい。この場合、コンテンツ解析部１２は主コンテンツ１０１からメタデータを抽出や、ＥＰＧ等の放送プログラム情報から必要な情報を抽出するようにすればよい。また、広告主３０であるクライアント企業の社会的責任（ＣＳＲ）の程度や、当該広告の商品やサービスの環境への負荷の程度やフェアトレードの程度等を評価した結果に応じて、副コンテンツ１２１を選択するルールを適用してもよい。これら評価は、管理センター４の管理者が行い、この評価によって作成されたルールをリンク情報選択重畳部１１に提供するようにすればよい。
【００３７】
音響ＩＤ変換部１５は、広告選択部１３から入力された情報ＩＤ１０３を、スペクトル拡散し、音響信号である音響ＩＤ１０４に変換する。音響ＩＤ１０４への変換方式は、上述した国際公開第２０１０／０１６５８９号パンフレットに開示されている方式を用いる。
【００３８】
図４は音響ＩＤ変換部１５の構成例を示す図である。拡散符号発生部２０１は、情報ＩＤ１０３の周波数スペクトルを拡散するための拡散符号ＰＮを発生する。拡散符号としては、Ｍ系列等の一定の巡回周期を持つ擬似乱数符号列が用いられる。情報ＩＤ１０３は、１シンボル周期が拡散符号の１巡回周期と一致するように周期が調整される。
【００３９】
乗算器２０２は、情報ＩＤ１０３と拡散符号とを乗算する。この処理が、スペクトラム拡散と呼ばれる処理である。この処理により、情報ＩＤ１０３の値（１または０の数値列）によって拡散符号が巡回周期毎に位相変調され、情報ＩＤ１０３の周波数スペクトルが拡散される。
【００４０】
乗算器２０２により、周波数スペクトルが拡散された情報ＩＤ１０３は、差動符号化部２０３によって差動符号に変換される。差動符号化処理は、拡散符号の各チップの値をその絶対値から前チップからの変化を表す値に置き換える処理である。この差動符号化により、受信側（後で詳述）において、送信側に正確に同期したクロックが無くても、遅延検波を用いて高精度にシンボルを復調することができる。
【００４１】
差動符号化部２０３は、乗算器２０２で周波数スペクトルが拡散された情報ＩＤ１０３が一方の入力端子に入力されるＸＯＲ回路２０４と、ＸＯＲ回路２０４の出力を１チップ遅延してＸＯＲ回路２０４の他方の入力端子に戻す１チップ遅延回路２０５で構成されている。ＸＯＲ回路２０４の出力を１チップ遅延して、ＸＯＲ回路２０４の他方の入力端子にフィードバックすることにより、ＸＯＲ回路２０４は、周波数スペクトルが拡散された情報ＩＤ１０３の入力チップとＸＯＲ回路２０４の１クロック前の出力チップとの排他的論理和を差動符号として出力する。すなわち、差動符号では、周波数スペクトルが拡散された情報ＩＤ１０３の各チップの絶対値が、直前の差動符号チップとの位相の一致または不一致を表す符号に置き換えられる。これにより、受信側において、連続する２チップを比較することにより周波数スペクトルが拡散された情報ＩＤ１０３を、送信側に正確に同期したクロックがなくても、復元することができる。
【００４２】
ＸＯＲ回路２０４から出力された差動符号は、アップサンプリング部２０６に入力される。アップサンプリング部２０６は、差動符号の入力された符号列の各サンプルを複数のサンプルに分割し、ドップラシフトによって符号が伸縮した場合でも受信側で復調可能なように波形を加工する。
【００４３】
アップサンプリング部２０６でアップサンプリング処理された差動符号は、ＬＰＦ２０７に入力される。ＬＰＦ２０６は、ベースバンド信号の帯域を制限し、チップ間干渉を抑制しつつベースバンド信号の帯域を制限するフィルタでありナイキストフィルタと呼ばれるものである。ナイキストフィルタは、インパルス応答がシンボル・レートでリングする（０を通過する）特性を有するフィルタであり、一般的にコサイン・ロールオフ・フィルタと呼ばれるＦＩＲフィルタで構成される。フィルタの次数、ロールオフ率α等は、適用する条件等に応じて決定される。
【００４４】
なお、この実施形態では、音響ＩＤ１０４を受信する端末装置２２においてもＬＰＦ２５４（図６参照）でフィルタリングを行うため、図４のＬＰＦ２０７と図６のＬＰＦ２５４で完全なナイキストフィルタとなるように、それぞれが、ルートレイズド・コサイン・ロールオフ・フィルタで構成される。
【００４５】
ＬＰＦ２０７によって帯域制限、波形整形された信号は、乗算器２０８において、キャリア信号発生部２０９が発生したキャリア信号と乗算され、図２に示す１８〜２０ｋＨｚの周波数帯域の信号にシフトされる。１８〜２０ｋＨｚの周波数帯域にシフトされ、音響ＩＤ変換部１５から出力された信号が、音響ＩＤ１０４として音声合成部１６に入力される。
【００４６】
音声合成部１６は、音響ＩＤ１０４を主コンテンツ１０１の音声信号である放送音声信号に加算して、音響信号を合成する加算器である。音声合成部１６は、放送音声信号と音響ＩＤ１０４とを、同一のサンプリング周波数に調整し、放送音声信号と音響ＩＤ１０４とを加算合成し、音響ＩＤ１０４が重畳された放送音声信号を出力する。音響ＩＤ１０４の放送音声信号（主コンテンツ１０１）に対する時間的な合成位置は、コンテンツ解析部１２が解析し、キーワード１０２を抽出した映像および音声の時間位置付近が好適である。
【００４７】
この音響ＩＤ１０４が重畳された放送音声信号を含む主コンテンツ１０１が、送信機器１０に入力され、テレビ放送としてＵＨＦ帯の電波信号で送信される。この電波信号がテレビ受像機２１によって受信され、映像および音声が再生される。主コンテンツ１０１の映像信号はディスプレイに表示され、主コンテンツ１０１の音声信号はスピーカから放音される。上述の通り、この音声信号には音響ＩＤ１０４が含まれている。放音された音響ＩＤ１０４は、視聴者２０が所持する端末装置２２に収音される。
【００４８】
なお、音響ＩＤ変換部１５が本発明のＩＤ付加部に対応する。
【００４９】
《端末装置２２》
端末装置２２は、テレビ（受像機）２１を観ている利用者２０が携帯する装置であり、テレビ２１が放音した音響ＩＤ１０４を収音して情報ＩＤ１０３に復調し、この情報ＩＤ１０３をＩＤ解決サーバ４１に送信して、ウェブ広告１２１のＵＲＬ１４１を取得する。ＩＤ解決サーバ４１は、ＩＤ／ＵＲＬ対応テーブル４１Ａを備えており、端末装置２２から受信した情報ＩＤ１０３でＩＤ／ＵＲＬ対応テーブル４１Ａを検索し、対応するＵＲＬ１４１を読み出して端末装置２２に返信する。ＵＲＬ１４１を取得した端末装置２２は、このＵＲＬ１４１で副コンテンツ提供サーバ３１にアクセスしてウェブ広告１２１をダウンロードして表示する。
【００５０】
図５は、端末装置２２のブロック図である。この図では、端末装置２２の一例であるスマートフォンの本願発明に関係する部分のみを取り出して示している。端末装置２２は、マイクロフォン５１、制御部５２、ネットワーク通信部５６、操作部５８、表示部５９を備えている。マイクロフォン５１は、テレビ受像機２１のスピーカから放音された音響ＩＤ１０４を含む音声信号を収音する。ネットワーク通信部５６は、Ｗｉ−Ｆｉ規格および／または３Ｇ（ＩＭＴ−２０００）規格等の無線通信により、インターネット、ローカル・エリア・ネットワーク等の通信ネットワーク５にアクセスする機能部である。端末装置２２は、通信ネットワーク５を介してＩＤ解決サーバ４１や副コンテンツ提供サーバ３１と通信する。通信ネットワーク５は、移動体通信網、ゲートウェイ、または、インターネットなどの通信網である。また、単独の通信網ではなく、通信方式が異なる複数の通信網を相互接続したものであってもよい。
【００５１】
制御部５２は、アプリケーションプログラムとの協働により、音響ＩＤ復調部５３、ＵＲＬ取得部５４およびウェブブラウザ５５として機能する。音響ＩＤ復調部５３は、マイクロフォン５１が収音した音声信号から音響ＩＤ１０４を抽出し、これを情報ＩＤ１０３に復調する処理部である。
【００５２】
図６は、音響ＩＤ復調部５３のブロック図である。音響ＩＤ復調部５３には、マイクロフォン５１で収音されＡ／Ｄ変換された音声信号が入力される。入力された音声信号は、ＨＰＦ２５１に入力される。ＨＰＦ５１は１８ｋＨｚ付近をカットオフ周波数とするハイパスフィルタであり、入力された音声信号から主コンテンツ１０１の音声信号に相当する可聴周波数帯域の信号を除去し、音響ＩＤ１０４に相当する周波数帯域の信号のみを取り出すためのフィルタである。ＨＰＦ２５１によって抽出された信号成分（音響ＩＤ１０４に相当する信号成分）は、遅延器２５２および乗算器２５３に入力される。遅延器２５２の遅延時間は、拡散符号の１チップ分のクロック数に設定されている。すなわち、送信側の音響ＩＤ変換部１５のアップサンプリング部２０６で拡散符号（差動符号）がＮ倍にアップサンプリングされている場合には、遅延器２５２の遅延量もＮサンプル分となる。乗算器２５３は、ＨＰＦ２５１から出力されたサンプルと遅延器２５２から出力されたサンプルとを乗算する。この処理が遅延検波処理である。この遅延検波処理によって、差動符号化された拡散符号（周波数スペクトルが拡散された情報ＩＤ１０３）が元の拡散符号に変換される。
【００５３】
この遅延検波処理の特徴は、復調時にキャリア信号の再生を必要としない点である。このように、送信側に差動符号化、受信側に遅延検波を採用することにより、周波数変動に対して堅牢で、処理負荷も少ない通信システムを構築することが可能になる。
【００５４】
乗算器２５３の乗算出力は、ＬＰＦ２５４に入力される。ＬＰＦ２５４は、キャリア成分をフィルタリングしてベースバンド信号を抽出するとともに、余計な雑音をフィルタリングしてＳＮ比を向上させるためのフィルタであり、送信側で使用したＬＰＦ（ナイキストフィルタ）２０７と同様の特性のものである。なお、上述したように、変調部のＬＰＦ２０７とこのＬＰＦ２５４とを合わせて完全なナイキストフィルタ特性となるようにそれぞれルート特性のフィルタとされている。
【００５５】
ＬＰＦ２５４の出力信号は、整合フィルタ２５５へ入力される。整合フィルタ２５５は、送信側でデータ符号の拡散に使用されたものと同じ符号列である拡散符号ＰＮを係数に持つＦＩＲフィルタで構成される。係数に使用する拡散符号のチップレートは、送信側におけるアップサンプリング後のチップレートと同じである。すなわち、同じ拡散符号ＰＮの同じ符号が、整合フィルタ２５５において、アップサンプリング率分を繰り返すことになる。整合フィルタ２５５は、ＬＰＦ２５４の出力波形と拡散符号ＰＮとの畳み込み演算を実行し、その相関値を出力する。
【００５６】
整合フィルタ２５５が出力した相関値は、拡散符号ＰＮの周期で強い相関を表すピークを示し、そのピークの位相は、送信シンボルによって位相変調されている。このため、整合フィルタ２５５が出力した相関値には、送信シンボルの１および−１に対応して、それぞれ正の符号のピークおよび負の符号のピークが現れる。整合フィルタ２５５の出力は、ピーク検出部２５６へ入力される。ピーク検出部２５６は、拡散符号ＰＮの周期付近の大きなピークを検出し、相関ピークを特定する。特定された相関ピークは、符号判定部２５７へ入力される。符号判定部２５７は、ピーク位相からシンボルを復号し、これを情報ＩＤ１０３として出力する。
【００５７】
音響ＩＤ復調部５３が音声信号から抽出した音響ＩＤ１０４を復調した情報ＩＤ１０３は、ＵＲＬ取得部５４に入力される。ＵＲＬ取得部５４は、ネットワーク通信部５６を制御してＩＤ解決サーバ４１と通信し、情報ＩＤ１０３に対応づけられているＵＲＬ１４１をＩＤ解決サーバ４１から取得する。このＵＲＬ１４１は、そのときテレビ受像機２１によって再生されている主コンテンツ１０１（テレビ番組）の音声信号に重畳された音響ＩＤ１０４（ないし情報ＩＤ１０３）に対応する副コンテンツ１２１のＵＲＬ１４１である。このＵＲＬ１４１は、ウェブブラウザ５５に入力される。ウェブブラウザ５５は、このＵＲＬ１４１を用いて副コンテンツ提供サーバ３１にアクセスし、副コンテンツ１２１であるウェブ広告をダウンロードして表示する。
【００５８】
《管理センター４》
管理センター４は管理サーバ４０およびＩＤ解決サーバ４１を有している。副コンテンツ１２１の広告主３０は、作成した副コンテンツ１２１を副コンテンツ提供サーバ３１にアップロードする。副コンテンツ提供サーバ３１は一般のウェブサーバでよい。そして、広告主３０は、管理センター４にこの副コンテンツ１２１についてリンク広告提供サービスのエントリーを行う。なお、管理サーバ４０は、図３のエントリーデータベース１４とほぼ同様の構成の管理データベース（不図示）を備えており、管理データベースには、副コンテンツ１２１のエントリーに対応して、少なくとも情報ＩＤ、上限単価および予算が登録されている。
【００５９】
管理サーバ４０は、広告主３０からエントリー情報１２２およびＵＲＬ１４１を受信し、副コンテンツ１２１のエントリーを受け付ける。管理サーバ４０は、エントリーを受け付けた副コンテンツ１２１に対して情報ＩＤ１０３を発行する。情報ＩＤ１０３は、少なくともそのときエントリーされている複数の副コンテンツ１２１のそれぞれに対して、ユニークなものが発行される。情報ＩＤ１０３は、エントリー情報１２２のうち少なくとも上限単価および予算とともに管理データベースに登録される。また、エントリー情報１２２（少なくとも上限単価および選択ルール上必要な情報）および情報ＩＤ１０３を、リンク情報選択重畳部１１の広告選択部１３に送ってエントリーデータベース１４に登録させる。さらに、管理サーバ４０は、情報ＩＤ１０３と副コンテンツ１２１のＵＲＬ１４１とを対応づけてＩＤ解決サーバ４１に送信する。ＩＤ解決サーバ４１は、情報ＩＤ１０３及び副コンテンツ１２１のＵＲＬ１４１を、ＩＤ／ＵＲＬ対応テーブル４１Ａに登録する。
【００６０】
上記のように、ＩＤ解決サーバ４１は、管理サーバ４０から送信された情報ＩＤ１０３とＵＲＬ１４１とを対応付けてＩＤ／ＵＲＬ対応テーブル４１Ａに登録している。ＩＤ解決サーバ４１は、端末装置２２から情報ＩＤ１０３を受信すると、この情報ＩＤ１０３をキーとしてＩＤ／ＵＲＬ対応テーブル４１Ａを検索し、情報ＩＤ１０３に対応づけて登録されているＵＲＬ１４１を読み出して端末装置２２に返信する。
【００６１】
ＩＤ解決サーバ４１は、ある情報ＩＤ１０３を解決すると、その情報ＩＤ１０３を解決したことを管理サーバ４０に通知する。管理サーバ４０は、情報ＩＤ１０３の解決回数、すなわち、ＵＲＬ１４１を端末装置２２に転送した回数を、端末装置２２が副コンテンツ１２１のＵＲＬ１４１にアクセスした回数、すなわち、端末装置２２によって副コンテンツ１２１が閲覧された回数、とみなしてカウントし、このカウント値に基づいてリンク広告提供サービスの料金を計算する。管理サーバ４０は、リンク情報選択重畳部１１の情報選択部１３から受信したエントリー選択情報１０５に対応して、請求料金を「入札により決定された落札単価」×「アクセス数」で計算する。
管理サーバ４０の管理データベースに記憶された予算（円）は、１の副コンテンツ１２１のエントリーに対して広告主３０が支払い可能な料金の上限の金額である。管理サーバ４０は、上述した情報ＩＤ１０３の解決に応じて計算される請求料金の総合計が予算に到達した場合は、以降、その情報ＩＤ１０３に対応する副コンテンツ１２１は、対応するキーワード１０２が入力されたとしても入札乃至選択されないよう副コンテンツ１２１のエントリーを管理する。
【００６２】
《広告提供システムの各部の動作》
以下、本広告提供システムの主要な構成部の処理手順を、図７、図８のフローチャートを参照して説明する。図７（Ａ）〜（Ｃ）は、管理サーバ４０の動作を示すフローチャートである。図８（Ａ）〜（Ｃ）は、それぞれ、広告選択部１３、端末装置２２およびＩＤ解決サーバ４１の動作を示すフローチャートである。
【００６３】
図７（Ａ）は、管理サーバ４０のエントリー受付動作を示すフローチャートである。広告主３０は、管理センター４の管理サーバ４０にエントリー情報等を送信して、リンク広告提供サービスへエントリーする。管理サーバ４０は、広告主３０からエントリー情報１２２、副コンテンツ１２１のＵＲＬ１４１等を受信すると（Ｓ１０）、副コンテンツ１２１のエントリーを受け付け、この副コンテンツ１２１に情報ＩＤ１０３を付与する（Ｓ１１）。そして、管理サーバ４０は、受け付けたエントリー情報１２２および付与した情報ＩＤ１０３を広告選択部１３に送信する（Ｓ１２）。送信されたエントリー情報１２２および情報ＩＤ１０３は、情報選択部１３によってエントリーデータベース１４の指定された（エントリー情報１２２に記載されていた）キーワードの欄に登録される。また、管理サーバ４０は、情報ＩＤ１０３および副コンテンツ１２１のＵＲＬ１４１をＩＤ解決サーバ４１に送信する（Ｓ１３）。送信された情報ＩＤ１０３およびＵＲＬ１４１は、ＩＤ解決サーバ４１によってＩＤ／ＵＲＬ対応テーブル４１Ａに登録される。
【００６４】
管理サーバ４０は、リンク情報選択重畳部１１の情報選択部１３からエントリー選択情報１０５を受信したことに応じて、該受信したエントリー選択情報１０５に含まれる情報ＩＤおよびその落札単価を不図示の記憶手段または管理データベースの所定の領域に記憶する。これら記憶された情報ＩＤおよび落札単価は、請求料金の計算に利用される。
【００６５】
図８（Ａ）は、情報選択部１３の広告選択動作を示すフローチャートである。コンテンツ解析部１２から、主コンテンツ１０１の内容を表すキーワード１０２が、情報選択部１３に入力されると（Ｓ４０）、情報選択部１３は、この入力されたキーワード１０２に対応付けられているエントリー情報１２２をエントリーデータベース１４から検索し、上述の選択ルールおよび自動入札に基づいて、今回主コンテンツ１０１に重畳する副コンテンツ１２１を選択する（Ｓ４１）。情報選択部１３は、ステップＳ４１で選択した副コンテンツ１２１を示す情報ＩＤ１０３を音響ＩＤ変換部１５に出力した（Ｓ４２）後に、この副コンテンツ１２１の情報ＩＤ１０３とその落札金額とを含む情報をエントリー選択情報１０５として管理サーバ４０に送信する（Ｓ４３）。
【００６６】
図７（Ｂ）は、管理サーバ４０のエントリー選択情報処理動作を示すフローチャートである。管理サーバ４０は、情報選択部１３からいずれかの副コンテンツ１２１のエントリー選択情報１０５を受信すると（Ｓ２０）、このエントリー選択情報１０５を記憶する（Ｓ２１）。このエントリー選択情報１０５は、副コンテンツ１２１の広告料金の計算等に利用される。そして、管理サーバ４０は、選択された副コンテンツ１２１の情報告ＩＤ１０３の解決を所定時間Ｔの間、許可する旨をＩＤ解決サーバ４１に通知する（Ｓ２２）。
【００６７】
図８（Ｂ）は、端末装置２２が音響ＩＤ１０４を受信した時から後の端末装置２２の動作を示す、副コンテンツ取得プログラムのフローチャートである。この処理は、端末装置２２の制御部５２の動作を示しており、音響ＩＤ復調部５３、ＵＲＬ取得部５４およびウェブブラウザ５５の動作を含む。端末装置２２においては、この副コンテンツ取得プログラムが常駐あるいはバックグランドで実行された状態である。音響ＩＤ復調部５３は、マイクロフォン５１で収音されたテレビ受像機２１からの音声信号に含まれる音響ＩＤ１０４を抽出して、情報ＩＤ１０３に復調する（Ｓ５０）。ＵＲＬ取得部５４が、この復調された情報ＩＤ１０３をＩＤ解決サーバ４１に送信し（Ｓ５１）、その返信として副コンテンツ１２１のＵＲＬ１４１を受信する（Ｓ５２）。ウェブブラウザ５５が、受信したＵＲＬ１４１を用いて副コンテンツ提供サーバ３１にアクセスし、副コンテンツ１２１をダウンロードして表示する（Ｓ５３）。
【００６８】
図８（Ｃ）は、ＩＤ解決サーバ４１の動作を示すフローチャートである。この処理動作は、管理サーバ４０から情報ＩＤ１０３の解決を許可された場合に（Ｓ２２参照）、その情報ＩＤ１０３に対して上述の所定時間だけ実行される。ＩＤ解決サーバ４１は、端末装置２２から情報ＩＤ１０３を受信すると（Ｓ６０）、この情報ＩＤ１０３でＩＤ／ＵＲＬ対応テーブル４１Ａを検索し、対応するＵＲＬ１４１を読み出す（Ｓ６１）。そして、ＩＤ解決サーバ４１は、その読み出したＵＲＬ１４１を端末装置２２に返信し（Ｓ６２）、その情報ＩＤ１０３を解決した旨を管理サーバ４０に通知する（Ｓ６３）。
【００６９】
情報ＩＤ１０３の解決を許可する所定時間Ｔは、刻々と場面転換され変化する主コンテンツ１０１の内容に追従させるため、ＩＤ解決に時間制限を設けるためのものであるが、テレビ受像機２１から放音された音響ＩＤ１０４を収音した端末装置２２が情報ＩＤ１０３を解決して副コンテンツ１２１を表示するのに十分な時間が設定される。具体的には５分程度が適当である。ただし、所定時間は５分に限定されず、より長くても短くてもよい。また、情報選択部１３から次のエントリー選択情報１０５が送られてくるまでとしてもよい。また、この所定時間の管理は、ＩＤ解決サーバ４１が行い、許可時間が経過した旨をＩＤ解決サーバ４１が管理サーバ４０に通知するようにしても良いし、管理サーバ４０が行い、許可時間が経過した旨を管理サーバ４０がＩＤ解決サーバ４１に通知するようにしてもよい。
【００７０】
図７（Ｃ）は、管理サーバ４０のエントリー管理動作を示すフローチャートである。管理サーバ４０は、ＩＤ解決サーバ４１に対して情報ＩＤ１０３の解決を許可したとき（Ｓ２２参照）、当該許可した情報ＩＤ１０３についてこの処理を実行する。↓下記と重複
【００７１】
管理サーバ４０は、ＩＤ解決サーバ４１から情報ＩＤ１０３を解決した旨の通知を受信すると（Ｓ３０でＹＥＳ）、その情報ＩＤ１０３の今回のエントリー選択におけるＩＤ解決回数を計数する（Ｓ３１）。そして、管理サーバ４０は、今回のエントリー選択情報１０５に記載されていた落札単価と計測されたＩＤ解決回数とを積算し、選択されている副コンテンツ１２１ついて、今回の請求料金を計算する（Ｓ３２）。この今回の請求料金と前回までのエントリー選択による請求料金との総合計が、この副コンテンツ１２１の予算に到達したかを判断する（Ｓ３３）。請求料金の総合計が、まだ予算に到達していないときには（Ｓ３３でＮＯ）、管理サーバ４０は、処理をＳ３０に戻して、次のＩＤ解決通知の受信の有無の判定を行う。一方、請求料金の総合計が、予算に到達した場合には（Ｓ３３でＹＥＳ）、管理サーバ４０は、リンク選択重畳部１１の情報選択部１３に対して、この副コンテンツ１２１のエントリー情報をエントリーデータベース１４から消去するように指示するとともに（Ｓ３４）、ＩＤ解決サーバ４１に対しても、この副コンテンツ１２１の情報ＩＤ１０３およびＵＲＬ１４１をＩＤ／ＵＲＬ対応テーブル４１Ａから消去するように指示する（Ｓ３５）。この結果、請求料金の総合計が予算に到達した副コンテンツ１２１は、以降、情報選択部１３にて選択されたり、ＩＤ解決サーバ４１にてＩＤ解決されたりしないよう、その副コンテンツ１２１のエントリーが管理される。
【００７２】
なお、請求料金が広告予算に到達しないで所定時間（ＩＤ解決サーバ４１にて情報ＩＤ１０３の解決を許可する時間）が経過した場合には（Ｓ３６でＹＥＳ）、管理サーバ４０は、今回の請求料金を前回までのエントリー選択に係る未清算の請求料金の総合計に積算して（Ｓ３７）、不図示の記憶手段または管理データベースの所定の領域に記憶し、エントリー管理動作を終了する。
【００７３】
《変形例》
上述した実施形態の内容を、以下のように変形してもよい。以下に示す各変形例は、必要に応じて組み合わせて実施されても良い。
【００７４】
管理センター４の上記動作において、ＩＤ解決サーバ４１が情報ＩＤ１０３をＵＲＬ１４１に解決した回数等のログ（通信記録）を活用して、対象の副コンテンツ１２１のサイトへのアクセス数等を割り出し、このログ（通信記録）を用いて広告効果を測定し、測定した結果をクライアントに提示するようにしてもよい。
【００７５】
リンク情報重畳部１１における主コンテンツ１０１の解析を、放送前に行うようにしてもよい。この場合、主コンテンツ１０１の場面ごとのキーワード１０２を、放送前に予め生成して、主コンテンツ１０１における時間位置（タイムコード等）と共に記憶しておく。図１におけるコンテンツ解析部１２の位置には、このキーワードおよびタイムコードを記憶する手段が設けられ、放送局１から主コンテンツ１０１が放送（送信）される時に同期して、その場面のキーワード１０２を情報選択部１３に出力するようにする。
【００７６】
テレビ放送は多くのテレビ受像機２１で視聴されるため、複数の端末装置２２が同時に音響ＩＤ１０４を収音して、ＩＤ解決サーバ４１にアクセスが集中し、且つ、副コンテンツ提供サーバ３１にアクセスが集中することにより、輻輳が発生する可能性がある。そこで、端末装置２２（ＵＲＬ取得部５４）に、ランダムな待ち時間を発生する機能を設けておき、この待ち時間待機したのち、ＩＤ解決サーバ４１および副コンテンツ提供サーバ３１にアクセスするようにしてもよい。
【００７７】
また、上記実施形態では、端末装置２２は、音響ＩＤ１０４を復調したとき、視聴者２０の操作を経ることなく、副コンテンツ提供サーバ３１にアクセスして副コンテンツ１２１を表示するようになっているが、端末装置２２は、副コンテンツ提供サーバ３１にアクセスを指示（許可）する操作を受け付けた後に、副コンテンツ提供サーバ３１にアクセスするようにしてもよい。
【００７８】
また、この実施形態では、副コンテンツ１２１として、広告を代表的な例として説明しているが、提供する情報は広告に限定されない。主コンテンツ１０１の内容に関連する情報であれば、たとえば地域情報、料理レシピなどどのようなものであってもよい。
【００７９】
また、主コンテンツ１０１に対する情報ＩＤ１０３の付加方式は、音響ＩＤ１０４に限定されない。たとえば、音声信号のサブコードやデータ放送を用いることも可能である。ただし、音響ＩＤ１０４を用いる方式は、テレビ受像機２１に新たな機能を設ける必要がないなどのことから既存の放送システムに付加する場合に好適である。また、音響ＩＤ１０４を用いる場合であっても、スピーカから音響（音波）として放音して端末装置２２に収音させるのみならず、オーディオケーブルやＢｌｕｅｔｏｏｔｈ（登録商標）など有線や無線の伝送系で音響信号を伝送するようにしてもよい。
【００８０】
また、音響ＩＤ１０４に代えて、主コンテンツ１０１の音声指紋情報を利用してもよい。すなわち、音声指紋情報を用いて、主コンテンツの配信元（放送局）や番組、ＣＭなどの主コンテンツを特定し、これを情報ＩＤ１０３に代わる識別情報（ＩＤコード）として用いてＩＤ解決サーバ４１にアクセスするようにしてもよい。
【００８１】
また、この実施形態ではテレビ放送を例に挙げて説明しているが、これに限定されず、たとえばラジオ放送、地域内の防災放送、施設内の構内放送、通信ネットワークを介した放送（インターネット放送）などの各種配信、放送形態であってもよい。また、本発明における端末装置は、スマートフォン２に限定されない。例えば、携帯電話機やタブレット端末、ＰＤＡ（Personal Digital Assistant）、モバイルコンピュータ、ゲーム機、セットトップボックスなど、視聴者２０（ユーザ）が所持することが可能な各種の装置を本発明の端末装置２２として用いることができる。
【００８２】
リンク情報選択重畳部１１のうち一部、たとえば、コンテンツ解析部１２や情報選択部１３あるいは音響ＩＤ変換部１５等を、放送局１の外部に設けてもよい。たとえば、管理センター４に設けてもよい。放送局１は、中継局であってもよく、他の１または複数の放送局またはコンテンツサーバが放送または配信した主コンテンツ１０１を、再編成して放送または配信する局であってもよい。
また、たとえば、これら（リンク情報選択重畳部１１のうち一部、たとえば、コンテンツ解析部１２および情報選択部１３）が、複数の主コンテンツ１０１を受信し、これら複数の主コンテンツ１０１を、まとめてコンテンツ解析部１２および情報選択部１３が処理する主コンテンツ編集装置、または放送・配信する送信装置を構成してもよい。
【００８３】
また、リンク情報選択重畳部１１の一部乃至全部、管理サーバ４０、ＩＤ解決サーバ４１、あるいは副コンテンツ提供サーバ３１は、適宜仮想化技術による実現が可能であり、物理的に個別の装置で実現するようにしてもよいし、仮想化サーバにて個々の機能を実現するようにしてもよい。
【００８４】
なお、本実施形態では、ＩＤ解決サーバ４１にＩＤ／ＵＲＬ対応テーブル４１Ａを持たせたが、ＩＤ／ ＵＲＬ対応テーブル４１Ａは管理サーバ４０が持つようにしてもよい。この場合、ある副コンテンツ１２１が選択されたとき、その副コンテンツ１２１の情報ＩＤ１０３とＵＲＬ１４１のペアを管理サーバ４０からＩＤ解決サーバ４１に送信するようにし、ＩＤ解決が許可された上述の所定時間の間、ＩＤ解決サーバ４１が送信された副コンテンツ１２１の情報ＩＤ１０３とＵＲＬ１４１のペアを保持するようにすればよい
【００８５】
なお、本実施形態では、主コンテンツ１０１に音響ＩＤ１０４として情報ＩＤ１０３を重畳したが、副コンテンツ１２１のＵＲＬ１４１を音響ＩＤ１０４に変換して主コンテンツ１０１に重畳しても良い。このように構成すれば、ＩＤ解決サーバ４１の処理が不要となる。
【００８６】
また、情報ＩＤ１０３に代えて、コンテンツ解析部１２が出力したキーワード１０２を音響ＩＤ１０４に変換して主コンテンツ１０１に重畳することも可能である。この場合、情報選択部１３は、図１のＩＤ解決サーバ４１の位置に設けられる。情報選択部１３は、端末装置２２から送信されてきたキーワード１０２に基づいて副コンテンツ１２１を選択して、情報ＩＤ１０３の代わりにそのＵＲＬ１４１を端末装置２２返信するようにすればよい。この場合において、端末装置２２が、キーワード１０２とともに視聴者２０の性別、年齢、居住地などのパーソナル情報を情報選択部１３に送信し、情報選択部１３がこれらの情報に基づいて、各視聴者２０に適合した副コンテンツ１２１の選択をするよう構成することも可能である。また更に、端末装置２２がＧＰＳ等の位置情報を取得し、この位置情報を副コンテンツ１２１を選択するためのパラメータとして使用すれば、ユーザ（視聴者）２０の居住地または現在地に最適な広告を提供することができる。これらパーソナル情報、位置情報は併用しても良い。また、これらパーソナル情報、位置情報に基づく副コンテンツ１２１のコンテンツの選択変更は、ＩＤ解決サーバ４１で行ってもよく、副コンテンツ提供サーバ３１で行っても良い。
【００８７】
また、放送局１が、情報ＩＤ１０３に加えて、そのときの現在時刻（放送局１の放送時刻）を表す時刻情報を音響ＩＤ１０４として送るようにしてもよい。そして、ＩＤ解決サーバ４１に放送局ＩＤ１０３および時刻情報に基づいて副コンテンツ１２１を選択させるようにすることにより、録画された主コンテンツ１０１に対しても、主コンテンツ１０１を後で再生する際に、再生音声から情報ＩＤ１０３および時刻情報を復調することで、適正な副コンテンツ１２１の提供が可能になる。
【００８８】
なお、本発明における情報コンテンツは、ディスプレイに表示される副コンテンツ１２１に限定されない。情報コンテンツは、スピーカによる放音、バイブレータによる振動、発光体による表示など各種出力手段により映像、音、振動等で提供される情報であってもよい。
【符号の説明】
【００８９】
１  放送局
４  管理センター
５  通信ネットワーク
１１  リンク情報選択重畳部
４１Ａ  ＩＤ／ＵＲＬ対応テーブル
【図１】
2013183327.tif 000003
【図２】
2013183327.tif 000004
【図３】
2013183327.tif 000005
【図４】
2013183327.tif 000006
【図５】
2013183327.tif 000007
【図６】
2013183327.tif 000008
【図７】
2013183327.tif 000009
【図８】
2013183327.tif 000010